(57)【要約】【課題】十分なエアレーション作業を行うことができ、また突き刺して形成した穴内部以外にもエアーが土中に触れるようにして、効率的なエアレーションを行うことのできる地中穿穴装置を提供する。【解決手段】複数のタイン１のうち少なくともいずれかは、棒体内に中空部１ａを有すると共にこの中空部１ａと連通する噴出孔１ｈが棒体の下端付近に形成された中空タインからなり、さらに、中空タインの中空部１ａと流体連通した連通管４２と、この連通管４２を介して中空タインの内部へ加圧流体を送り込む流体送出機構とを具備し、流体送出機構は、中空タインを含むタイン支持部２を支持する可動アーム３ａが所定の対水平角度以下となったときにのみ加圧流体を送出することで、中空タインの噴出孔１ｈが地中でのみ流体を噴出する。【選択図】図６
2012249552.tif 000002
【特許請求の範囲】
【請求項１】
走行体（ＴＲ）に設けられる地中穿穴装置であって、
下端が地面に突き刺さって穿穴する棒体からなるタイン（１）と、タイン（１）を複数本ずつ併設させて上部支持する複数のタイン支持部（２）と、一または複数個ずつのタイン支持部（２）を、タイン（１）先端が常に下方を向くように上部支持し、基端側の回動軸周りに回動し得る複数の可動アーム（３ａ）と、クランク機構によって各可動アーム（３ａ）の先端側を角度可変可能に支持し、クランク動によってタイン支持部（２）の支持位置を上下に往復制動するクランクアーム（３３）と、複数の可動アーム（３ａ）およびクランクアーム（３３）を幅方向に連接して収納すると共に、走行体（ＴＲ）への取り付け機構を有した収納枠（８）とを具備してなり、
前記複数のタイン（１）のうち少なくともいずれかは、棒体内に中空部（１ａ）を有すると共にこの中空部（１ａ）と連通する噴出口（１ｈ）が棒体の下端付近に形成された中空タインからなり、さらに、中空タインの中空部（１ａ）と流体連通した連通管（４２）と、この連通管（４２）を介して中空タインの中空部（１ａ）内へ加圧流体を送り込む流体送出機構とを具備し、流体送出機構は、中空タインを含むタイン支持部（２）を支持する可動アーム（３ａ）が所定の対水平角度以下となったときにのみ加圧流体を送出することで、中空タインの噴出口（１ｈ）が地中でのみ流体を噴出することを特徴とする地中穿穴装置。
【請求項２】
タイン（１）の突き刺し位置にそれぞれ櫛状の切欠き部（６２ｄ）を有して地表面に近接配置された押さえ板（６２）を配設してなり、
前記流体送出機構は、可動アーム（３ａ）の対水平角度が所定以下となり、かつ中空タインの噴出口（１ｈ）が押さえ板（６２）よりも下方に位置するときにのみ、流体を中空タインへ送出する請求項１記載の地中穿穴装置。
【請求項３】
流体送出機構は、可動アーム（３ａ）の端部または端部近傍にて回動可能に設けられた接触式のアームスイッチ（４１Ｔ）と、連通管（４２）に介在し、アームスイッチ（４１Ｔ）の入／切に応じて連通管と連通形成されて流体の送出有無を切り替えるプロセスバルブ（４）と、アームスイッチ（４１Ｔ）と接触可能な非可動位置に固定されたドグ（５）とを有してなり、
アームスイッチ（４１Ｔ）と接触／非接触状態にあるドグ（５）が、可動アーム（３ａ）の可動によってアームスイッチ（４１Ｔ）に対し非接触／接触状態となることで、プロセスバルブ（４）が閉状態から一時的に開状態に切り替えられる請求項１または２記載の地中穿穴装置。
【請求項４】
タイン支持部（２）に併設支持される複数本のタイン（１）のうち両端を除く中央寄りのタインは、中空部（１ａ）の両側部に連通した噴出口（１ｈ）を有する中空タインからなり、タイン支持部（２）よりも両側方へ流体を噴出し得る請求項１または２記載の地中穿穴装置。
【請求項５】
請求項１ないし４のいずれか記載の地中穿穴装置が装置自体の走行ローラー（９）を有し、乗用の走行体（ＴＲ）の進行方向前方または後方に取り付けられて従走する地中穿穴装置付き走行体であって、流体送出機構として、連通管（４２）と連通したコンプレッサー（７）及びコンプレッサーの可動電源ユニットが走行体（ＴＲ）に車載されることを特徴とする地中穿穴装置付き走行体。
【発明の詳細な説明】
【技術分野】
【０００１】
本発明は、トラクター等の走行体によって牽引しながら用いることで広域の栽培土に通気性を付与する地中穿穴装置（エアレーター）、及び、この地中穿穴装置（エアレーター）付き走行体に関する。
【背景技術】
【０００２】
ゴルフ場、各種競技場や圃場において、芝生、ゴルフ場のバンカー、整備土や栽培土に空気を接触させるエアレーション作業の際に、「芝生用通気孔穿孔装置」あるいは「エアレーター」と呼ばれる器具を使用する。例えば従来の「芝生用通気孔穿孔装置」は、トラクターなどの後部に駆動軸が該機体の進行方向と直交する方向に水平に支承されて、該駆動軸に多数の穿孔ユニットが装着され、該駆動軸の回転により、多数の穿孔ユニットの各穿孔ロッドが位相を異にして順次昇降して、その下端に取付けられたタインにより芝生に通気孔を穿孔する。
【０００３】
具体的には、トラクターなどの機体の後部に駆動軸が該機体の進行方向と直交する方向に水平に支承されて、該駆動軸に、その軸心方向に所定の間隔をおいて多数の穿孔ユニットが装着され、該駆動軸の回転により、多数の穿孔ユニットの各穿孔ロッドが位相を異にして順次昇降して、その下端に取付けられたタインにより芝生に通気孔を穿孔する構成の芝生用通気孔穿孔装置であって、自身の偏心位置に前記駆動軸が挿通固定されて、該駆動軸の回転により、その軸心を中心にして偏心回転を行う偏心回転円盤と、複数の支承体を介して該偏心回転円盤に、これとほぼ同心となって回転可能に支承された環体と、自身の上端部が該環体の最下部となる部分に一体に固着されることにより、偏心回転中の該偏心回転円盤に対して僅かに回動運動を行う穿孔ロッドと、該穿孔ロッドが常時機体の前方に回動するように付勢させるための付勢手段と、該穿孔ロッドの機体の前方への回動位置を規制するためのストッパー部材との各部材によって前記穿孔ユニットを構成したものが開示される（特許文献１参照）。
【特許文献１】特開平８−２０５６０５号公報
【発明の開示】
【発明が解決しようとする課題】
【０００４】
しかしながら、このような芝生用通気孔穿孔装置は、芝生面へタインを突き刺すことでのみ通気孔を穿孔するものであるため、石が存在して突き刺せない場合や突き刺す位置間隔が広すぎる場合には、十分なエアレーション作業を行うことができない。また突き刺して形成した穴内部のみエアーが土中に触れる形のため、効率的なエアレーションとはいえなかった。
【０００５】
そこで本発明では、石が存在して突き刺せない場合や突き刺す位置間隔が広すぎる場合にも十分なエアレーション作業を行うことができ、また突き刺して形成した穴内部以外にもエアーが土中に触れるようにして、効率的なエアレーションを行うことのできる地中穿穴装置（エアレーター）を提供することを課題とする。
【課題を解決するための手段】
【０００６】
前記課題を解決するため、下記（１）〜（５）の手段を採用するものとしている。
【０００７】
（１）すなわち、本発明の地中穿穴装置（エアレーター）は、
走行体に設けられるものであって、
下端が地面に突き刺さって穿穴する棒体からなるタイン１と、
タインを複数本ずつ併設させて上部支持する複数のタイン支持部２と、
一または複数個ずつのタイン支持部２を、タイン先端が常に下方を向くようにしたまま先端側に支持し、基端側の回動軸周りに回動し得る複数の可動アーム３ａと、
クランク機構によって各可動アームの先端側を角度可変可能に支持し、クランク動によってタイン支持部２の支持位置を上下に往復制動するクランクアーム３３と、複数の可動アームおよびクランクアームを幅方向に連接して収納すると共に、走行体への取り付け機構を有した収納枠８とを具備してなり、
前記複数のタイン１のうち少なくともいずれかは、棒体内に中空部１ａを有すると共にこの中空部１ａと連通する噴出口１ｈが棒体の下端付近に形成された中空タインからなり、
さらに、中空タインの中空部１ａと流体連通した連通管４２と、この連通管４２を介して中空タインの内部へ加圧流体を送り込む流体送出機構とを具備し、流体送出機構は、中空タインを含むタイン支持部２を支持する可動アーム３ａが所定の対水平角度以下となったときにのみ加圧流体を送出することで、中空タインの噴出口１ｈが地中でのみ流体を噴出することを特徴とする。
（２）前記地中穿穴装置において、タイン１の突き刺し位置にそれぞれ櫛状の切欠き部６２ｄを有して地表面に近接配置された押さえ板６２を配設してなり、
前記流体送出機構は、可動アーム３ａの対水平角度が所定以下となり、かつ中空タインの噴出口１ｈが押さえ板６２よりも下方に位置するときにのみ、流体を中空タインへ送出することが好ましい。
（３）前記いずれかの地中穿穴装置において、流体送出機構は、可動アーム３ａの端部または端部近傍にて回動可能に設けられた接触式のアームスイッチ４１Ｔと、連通管４２に介在し、アームスイッチ４１Ｔの入／切に応じて連通管と連通形成されて流体の送出有無を切り替えるプロセスバルブ４と、アームスイッチ４１Ｔと接触可能な非可動位置に固定されたドグ５とを有してなり、
アームスイッチ４１Ｔと接触／非接触のいずれかの状態にあるドグ５が、可動アーム３ａの可動によってアームスイッチ４１Ｔに対し非接触／接触した状態となることで、プロセスバルブ４が閉状態から一時的に開状態に切り替えられることが好ましい。
（４）前記いずれか記載の地中穿穴装置において、タイン支持部２に併設支持される複数本のタイン１のうち両端を除く中央寄りのタインは、中空部１ａの両側部に連通した噴出口１ｈを有する中空タインからなり、タイン支持部２よりも両側方へ流体を噴出し得ることが好ましい。
（５）本発明の地中穿穴装置（エアレーター）付き走行体は、前記いずれか記載の地中穿穴装置が装置自体の走行ローラー９を有し、乗用の走行機の進行方向前方または後方に取り付けられて従走する走行体ＴＲであって、流体送出機構として、連通管４２と連通したコンプレッサー７及びコンプレッサー７の電源ユニットが走行機に車載されることを特徴とする。
【０００８】
中空タインを含むタイン支持部２と、中空タインが地中にあるときに噴出口１ｈから流体を噴出させる流体送出機構と、支持アーム３ａを往復制動するクランクアーム３３とによって、中空タインを突き刺したタイミングで中空タインの穿穴内からさらに四方へ広がって流体を土内注入することができる。流体として圧縮空気を使用した場合には、タインの突き刺し部分以外へもエアーレーション効果を果たすことができる。また、さらに地面を押さえるための押さえ板６１を具備し、噴出口１ｈが押さえ板６１の下部位置にあるときにのみ流体を噴出させることで、押さえ板６１の下方にて噴出流体を効率的に拡げるものとなり、噴出による効果を高めることができる。
【０００９】
また、さらに流体送出機構として、支持アーム３ａの可動に伴うアームスイッチ４１Ｔとドグ５の機械的接触によってバルブの開閉制御をすることで、支持アーム３ａの角度による確実な流体創出制御が可能となり、タイミングのずれが生じにくいものとなる。また、さらに中空タインの両側部に連通した噴出口１ｈから両側方へ流体を噴出することで、タイン支持部２で複数のタイン１を支持して構成されるタインユニット単位において、効率的に流体を広範囲噴出するものとなる。
【００１０】
また、コンプレッサー７及びコンプレッサー７の電源ユニットを車載式とすることで、走行体ＴＲにて重量及び稼働動力を負担してコンプレッサーを動作させながら運搬することとなり、地中穿穴装置を効率的に連続移動動作させることができる。
【発明の効果】
【００１１】
本発明は、上述のような構成としたことで、芝生面へタインを突き刺すと共にタインの噴出孔殻の流体噴出によっても通気孔を穿孔するものであるため、石が存在して突き刺せない場合や突き刺す位置間隔が広すぎる場合にも、十分なエアレーション作業を行い得る。また突き刺して形成した穴内部から広げて突き刺した部分以外にもエアーが土中に触れる形のため、効率的なエアレーション及び流体噴出を行うことができるものとなった。
【図面の簡単な説明】
【００１２】
【図１】本発明の実施例１の中空タインの側面図。
【図２】実施例１の中空タインの平面図。
【図３】実施例１の中空タインの正面図。
【図４】実施例１の中空タインの背面図。
【図５】図１に示す実施例１の中空タインの中央縦断面図。
【図６】実施例１の地中穿穴装置（エアレーター）の稼働状態を示す背面構成図。
【図７】実施例１の地中穿穴装置付き走行体の後側方斜視外観図。
【図８】流体送出機構の構成を示す一部抽出斜視図。
【図９】実施例１の地中穿穴装置における流体送出機構の一系統の作動状態（非接触・非作動状態Ｓ１）を示す側面説明図。
【図１０】実施例１の地中穿穴装置における流体送出機構の一系統の作動状態（接触・作動状態Ｓ２）を示す側面説明図。
【発明を実施するための形態】
【００１３】
以下、本発明を実施するための最良の形態を、各実施例として示す各図と共に説明する。図１ないし図５に、本発明のエアレーターに用いる中空タインの実施例を示す。図６、図７に、前記中空タインを備えた実施例１の地中穿穴装置（エアレーター）及び地中穿穴装置（エアレーター）付き走行体を示す。図８，９，１０に、実施例１の地中穿穴装置（エアレーター）における一系統の流体送出機構の構成および各作動状態（非接触状態・非作動状態Ｓ１、及び接触状態・作動状態Ｓ２）を示す。
【００１４】
本発明の地中穿穴装置（エアレーター）は基本的には、トラクターなどの走行体ＴＲの後部又は前部に駆動軸が該機体の進行方向と直交する方向に水平に支承されて、該駆動軸に、その軸心方向に所定の間隔をおいて複数のタイン支持部穿孔ユニットが装着され、該駆動軸の回転により、多数の穿孔ユニットの各穿孔ロッドが位相を異にして順次昇降して、その下端に取付けられたタインにより芝生に通気孔を穿孔する構成からなる。
具体的には、
・下端が地面に突き刺さって穿穴する棒体からなるタイン１と、
・タインを複数本ずつ併設させて上部支持する複数のタイン支持部２と、
・一または複数個ずつのタイン支持部２を、タイン先端が常に下方を向くようにしたまま先端側に支持し、基端側の回動軸周りに回動し得る複数の可動アーム３ａと、
・クランク機構によって各可動アームの先端側を角度可変可能に支持し、クランク動によってタイン支持部２の支持位置を上下に往復制動するクランクアーム３３と、複数の可動アーム３ａおよびクランクアーム３３を幅方向に連接して収納すると共に、走行体への取り付け機構を有した収納枠８とを具備してなる。
【００１５】
そして、前記複数のタイン１のうち少なくともいずれかは、棒体内に中空部１ａを有すると共にこの中空部１ａと連通する噴出孔１ｈが棒体の下端付近に形成された中空タインからなると共に、この中空タインの中空部１ａと流体連通した連通管４２と、この連通管４２を介して中空タインの内部へ加圧流体を送り込む流体送出機構とを具備し、流体送出機構は、中空タインを含むタイン支持部２を支持する可動アーム３ａが所定の対水平角度以下となったときにのみ加圧流体を送出することで、中空タインの噴出孔１ｈが地中でのみ流体を噴出することを特徴とする。
【００１６】
（押さえ板６２）
タイン１の突き刺し位置にそれぞれ櫛状の切欠き部６２ｄを有して地表面に近接配置された側面視略横倒Ｊ字型の押さえ板６２を配設してなる。押さえ板６２は地面の盛り上がりを押さえて平坦にならす機能のほか、櫛状の切り欠き部６２ｄと平坦な板面とによって、噴出した流体が上方へ逃げるのを防ぎ、押さえ板６２か方での流体の拡散を助ける機能を有する。流体送出機構は、可動アーム３ａの対水平角度が所定以下となり、かつ中空タインの噴出孔が押さえ板６２よりも下方に位置するときにのみ、流体を中空タインへ送出するように制御される。
【００１７】
（流体送出機構）
流体送出機構は図８に示すように、可動アーム３ａの端部または端部近傍にて、プロセスバルブ４に付属して回動可能に設けられた接触式のアームスイッチ４１Ｔと、連通管４２、７４の間に介設され、アームスイッチ４１Ｔの入／切に応じて連通管４２，７４と連通形成されてコンプレッサー７からの流体の送出有無を切り替えるプロセスバルブ４と、アームスイッチ４１Ｔと接触可能な非可動位置に固定されたドグ５とを有して構成される。
【００１８】
そして図９に示すように、支持アーム３ａの先端が水平又はそれよりも上方を向いているときは、アームスイッチ４１とドグ５の上端のテーパー状の接触部５Ｔとが互いに離間し、アームスイッチ４１及びプロセスバルブは非接触・非作動状態Ｓ１にある。この状態から図１０に示すように、支持アーム３ａの先端が下方へ回動し、これに伴って前下方へ移動した接触アームスイッチ４１Ｔと接触することで、アームスイッチ４１Ｔを支持するスイッチアーム４１が回動して接触・作動状態Ｓ２となり、プロセスバルブ４が閉状態から一時的に開状態に切り替えられる。
【００１９】
（タイン１）
タイン１は図２，図３，図４に示す円柱棒状の外形からなり、中空タインは前記各図に加えてさらに図１，図４，図５に示す噴出口、下面キャップ及び筒状の軸断面構成を有する。タイン１の上部には中央細径部１ｂ及び係止溝１ｃを有した取り付け部１１が形成され、その直下に前方位置を示す矩形窪み１ｄが形成される。矩形窪み１ｄは取り付け位相を確認する際に用いると共に、取り付け部の回転防止用の押さえ具（図示せず）に嵌め込み支持される。タイン下端は前下方を向く傾斜面１２からなるカット面が形成されてなり、地表への小面積接触部から地中進行の断面積が徐々に大きくなる形状をもって、先端の突き刺しによる穿穴を効率的に行うものとしている。なおタインユニットの構造上、穿穴時には図１０に示すように、傾斜面１２の耐水平傾斜角度が大きくなるようにやや斜めに突き刺さることとなり、この突き刺し状態から角度を変えながら地表へ向かう湾曲穴路を介して抜き出るため、穴径を大きくすることなくエアレーションの通気量を増やし、効率的にエアレーションを行うことができる。以上の構成は非中空タイン、中空タインのいずれにも共通する。
【００２０】
そして中空タインにおいては特に、棒状の軸方向に沿って中空部１ａが貫通形成され、傾斜面１２を貫通する下端を下面キャップ１ｅで閉塞している。この下面キャップ１ｅの上部近傍であって筒体下部に、内部の中空部と連通する左右一対の噴出口１ｈが両側方に形成される。なお他の形態として、噴出口１ｈの形成箇所を側方ではなく斜め方向または前後方に対形成することができる。またタインの周方向への形成個数を増やして放射状に配置することで、あるいは軸方向の形成個数を増やして縦方向に列設することで、各噴出口１ｈからの噴出量を小さくし、代わりに噴出範囲を広げることができる。複数本の中空タインを用いる場合、複数種類の噴出孔１ｈ形成態様の中空タインを組み合わせて使用することもできる。
【００２１】
また噴出口１ｈは、砂や土が逆流して詰まるのを防ぐため、中空部と連通する水平の連通路によって形成される。噴出口１ｈの詰まりをより効果的に防ぐとともに地表へ連通するエアレーションを効率的に行うため、噴出口１ｈに向かって斜め上方に穿孔された斜め上向きの連通路によって形成されてもよい。或いは逆に、噴出流体を地中深くまで到達させるべく、噴出口１ｈに向かって斜め下方に穿孔された斜め下向きの連通路によって形成されるものとしてもよい。薬剤散布等の場合は斜め下向きの連通路によって形成されることが好ましい。
【００２２】
（タインユニット）
ひとつのタイン支持部２に併設支持される複数本のタイン１が幅方向に列状支持されることでひとつのタインユニットを構成する。タインユニットは可動アーム３ａによって上下往復可動し得るものであり、可動量は可動アーム３ａに上方連結されたクランクアーム３３によって制御される。タイン１はタイン支持部２に複数本（実施例では３本）が、走行体ＴＲの進行方向と交わる方向に一列に併設支持される。このひとつのタイン支持部２における複数本のタイン１のうち、少なくとも両端を除く中央寄りのタイン（中央の一本）は、中空部１ａの両側部に連通した噴出口１ｈを有する中空タインからなり、タイン支持部２よりも両側方へ流体を噴出し得ることが好ましい。
【００２３】
実施例では３本のタインがすべて、中空部１ａの両側部に連通した噴出口１ｈを有する中空タインからなり、各中空タイン全てがタイン支持部２よりも両側方へ流体を噴出するものとなっている。このとき３本のタインのうち両端の中空タインの噴出口１ｈを、中央寄りの中空タインの噴出口１ｈよりも高い位置に設けることで、中央で地中のより深部に深く噴出すると共に両側部でやや浅部に広く噴出することも可能である。噴出口１ｈの高低は中央部と両端寄りで逆の関係にしてもよいし、複数本すべてで異なる高さにしてもよい。またタインの軸周りの取り付け位相を右廻り寄り、又は左回り寄りに調整することで、少なくともいずれかの中空タインの噴出口１ｈの噴出方向を真横ではなく斜め方向に設定してもよい。これにより、走行体ＴＲの直進方向と直交する方向以外に広く噴出流体を散布することができる。
【００２４】
（収納枠８）
収納枠８は、幅方向に併設された複数のタインユニット及び可動アーム３ａの全体を、両側方の側枠板８３及び上方の後ろカバー８１付きの上部板によって三方から囲う箱形枠体であり、上部板の前方に走行体ＴＲとの接続機構を有する。具体的には、各可動アーム３ａの関節部をアーム支持枠３５で上方から支持すると共に、可動アーム３ａの先端側を角度可変可能に上方支持するクランクアーム３３を、一端が回転軸固定さえたクランクロッド３４を介して支持する。そして、幅方向中央の回転動力部３６から幅方向両側に軸通し、この軸周りにクランクロッド３４とアーム支持枠３５とを複数本ずつ、交互に連接してなる。このとき、各クランクアーム３３の位相を隣り合う順に等量ずつ変えた状態で軸周りに固定する。またアーム支持枠３５は非回転の固定枠として、軸と非接触で枠構成する。後ろカバー８２の中央には、駆動軸の駆動回転数を調節する調節レバー８２が貫通突出してなり、走行速度に応じて調節レバー８２を手動または自動で調節し得る。
【００２５】
側枠板８４の下部には走行ローラーを吊り下げるための切り欠き部が形成され、切り欠き部内に吊り下げたアームを介して前方底板６１が固定され、この前方底板６１にによって、前方走行ローラーが固定される。側方へはこの底板６１を固定するローラーアーム固定レバー８４が側方へ突出形成される。底板６１からはＬ型アングル５１を介して棒状のドグ５が複数本立設固定される。
【００２６】
後方走行ローラーのアームを吊り下げるローラーーアーム９２はローラーを側方支持する支持枠９１を吊設し、左右の支持枠の先に後ろの走行ローラー９Ｒが軸回転可能に取り付けられる。
【００２７】
クランクロッド３４は、基端部が駆動軸に接続され、駆動軸に対して垂直に伸長する棒状のロッド体からなり、駆動軸の回転と共に先端部が回転し得る。このクランクロッド３４は駆動軸の軸方向に沿って複数本が位相を変えながら軸連結され、このクランクロッド３４の先端に、クランクアーム３３の上端が回動可能に接続される。クランクアームの下端は可動アーム３ａの先端部付近を上部から吊設支持しており、可動アーム３ａの対水平角度を規制する。
【００２８】
クランクロッド３４の駆動軸周りの回転によってクランクアーム３３が各位相からクランク運動を起こし、クランク運動によってタイン支持部２の支持位置を上下に往復制動することとなる。クランクアーム３３は可動アームの先端付近の上部に回動可能に接続され、後方基端側の回転軸による関節部を中心とした回動角度が規制される。
【００２９】
（地中穿穴装置（エアレーター）付き走行体）
本発明の地中穿穴装置（エアレーター）付き走行体Ｔは、図７に示すように前記いずれか記載の地中穿穴装置が装置自体の走行ローラー９を有し、乗用の走行機の進行方向前方または後方に取り付けられて従走する走行体ＴＲであって、流体送出機構として、連通管４２と連通したコンプレッサー及びコンプレッサーの電源ユニットが走行機に車載される。コンプレッサーの電源ユニットとして走行体ＴＲに走行用として搭載された走行エンジンユニットあるいはバッテリーを用いることで、走行エンジンの出力の低い時に余能力分の出力を流体の加圧送出に回すことで、効率的な運転作業が可能となる。
【００３０】
実施例において、前記地中穿穴装置（エアレーター）を、走行体ＴＲたる芝刈り機の進行方向後方に取り付けて追従走行体ＴＲとして使用する。そして基本的には、芝刈り機の後方に少なくとも一つ或いは複数個が配設され、芝草との接触によって自由回転する前ローラー及び後ろの走行ローラー９Ｒと、芝刈り機との所定以上の距離を保ちながらそれ自体の先端で収容枠８を保持するアームとを具備する。具体的には、図９或いは図１０の様に、ローラー１部が芝生に接触するように芝刈り機の前方或いは斜め前方へ取り付けて使用する。
【００３１】
左右の側枠板８３で挟まれた収容枠８内には、幅方向の軸心方向に沿って所定の間隔をおいて複数のクランクロッド３４とアーム支持枠３５とが交互に装着され、幅方向中央の駆動部３６から回転駆動力が伝達されることで、アーム支持枠に挟まれたクランクロッドが回転し、クランクロッドの先端に回動可能に連結されたクランクアーム３３がクランク運動を開始する。可動アーム３ａを一対一対応で支持する各クランクアーム３３の先端が、隣設ユニット間で位相を異にしたクランクロッド３４の回転に伴ってクランク運動することで、複数のタインユニットの可動アーム３ａが、順次上下方向に往復動することにより、各タイン支持部２の下方に列設されたタイン１により複数個ずつ地中を穿穴する。
【００３２】
上記構成による地中穿穴装置によれば、タインユニットが最下点に来たときに、走行体ＴＲに取り付けられたコンプレッサーから加圧空気が供給され、中空タインの先端部に噴出口から圧縮空気が噴出される。噴出タイミングを支持アーム３ａの角度に基づいて制御することで、確実に地中へ圧縮空気を噴出することができる。
【００３３】
また、穿穴径を不要に大きくすることなく小さい穴径を保ったまま、地中の広面積に新鮮な空気をいきわたらせ、特に芝の固結も改善することができる。
【産業上の利用可能性】
【００３４】
このようにして得られた各実施例のエアレーター及びこれを備えた芝刈り機は、芝生内に穿穴して芝の根部分に新鮮空気を供給して根腐れを防ぐエアレーション作業として、特にゴルフ場のグリーンをはじめとする芝生において、芝の質を維持向上させるために好適に用いられる。その他の状況でシード散布機と共に使用することで種まき用の穿穴として使用したり、エアレーションと共に行う地表及び地中への水撒きや薬剤散布、或いは、エアレーションを行わない地中への薬剤または水の抽液作業に用いることができる。また走行体ＴＲたる芝刈り機は、乗用型か非乗用型か、或いは車輪の数を問わず採用される。
【符号の説明】
【００３５】
１  タイン
１ａ  中空部
１ｈ  噴出孔
２  タイン支持部
３ａ  可動アーム
３３  クランクアーム
４２  連通管
４１Ｔ  アームスイッチ
４  プロセスバルブ
５  ドグ
６２ｄ  切欠き部
６２  押さえ板
７  コンプレッサー
８  収納枠
９  走行ローラー
ＴＲ  走行体
【図１】
2012249552.tif 000003
【図２】
2012249552.tif 000004
【図３】
2012249552.tif 000005
【図４】
2012249552.tif 000006
【図５】
2012249552.tif 000007
【図６】
2012249552.tif 000008
【図７】
2012249552.tif 000009
【図８】
2012249552.tif 000010
【図９】
2012249552.tif 000011
【図１０】
2012249552.tif 000012